(57)【要約】【課題】ペットの日々の給餌において、ペットフードの給与量を簡単に計量する事ができて、またペットの成長で増える給与量に合わせて使用する事もできる、ペット用の食器を提供する。【解決手段】ペット用の食器において、ペットフードを入れる凹収容部分を予め設定した容量で、複数個に区切られた構造を特徴とし、凹収容部分の使用個数を増減する事で給与量の計量ができ、また成長により給与量が増えても、凹収容部分の使用個数で対応する事ができるペット用の食器【選択図】図１
2012000098.tif 000002
【特許請求の範囲】
【請求項１】
ペット用の食器において、ペットフードを入れる凹収容部分を予め設定した容量で、複数個に区切られた構造を特徴とするペット用の食器。
【請求項２】
凹収容部分には容量の目印が記されている構造を特徴とする、請求項１に記載のペット用の食器。
【発明の詳細な説明】
【技術分野】
【０００１】本発明は、ペットの給餌において、ペットフードの給与量を簡単に計量する事ができる、ペット用の食器に関するものである。
【背景技術】
【０００２】ペットブームで、ペットを飼う人が増えている。しかし必要以上に食事を与えてペットが肥満になりやすい傾向にある。本来ペットフードは各メーカーがそれぞれに給与量を定めていて、日々それに沿って与えるようになっている。そこでペットフードの給与量を計量する手段として、家庭にあるキッチン秤を使って、ペット用の食器に入れて与える方法がある。しかし、その都度の計量は非常に面倒であり飼い主の負担にもなっている為、使用している食器の大きさを目安に、給与量を感覚で入れる場合も多い。【０００３】また、ペットは成長が早く、幼犬の時は食べる量も少ないが、成長した時に適合する成犬用の食器では大きすぎて食べづらい為に、小さな食器を購入するが、成長が早く給与量も増えるため、短期間でその食器は使えなくなり、新たに大きい食器を購入しなければならない問題もあった。【０００４】また、ペット用の食器でペットフード凹収容部分にメモリを記して、ペットフードの給与量が分かるようにしたペット用の食器が提案されている。（特許文献１参照）。
【先行技術文献】
【特許文献】
【０００５】
【特許文献１】特開平１０−３００５５２号公報
【発明の開示】
【発明が解決しようとする課題】
【０００６】しかしながら、特許文献１記載の提案は、凹収容部分が一箇所で大きい為にペットフードを食器全体に水平、均等にして計量するのは難しく、また少量の容量調節は困難である。特に超小型犬種や猫、幼犬、幼猫などは、一回の給与量も少ない。例えば体重３ｋｇの超小型犬種のチワワでは、ドライフードの場合、一日の給与量は約７０ｇ程度であるが、５ｇや１０ｇなどの少量の容量調節は困難である。更にペットは成長が早いため短期間で食器が小さくなり、新たに食器を購入しなければならない問題もある。【０００７】そこで本発明は、上記課題に鑑みてなされたものであり、ペット用の食器の凹収容部分は、予め設定した容量で、複数個に区切られた構造をしている。そしてその凹収容部分には容量の目印を記してある為、ペットフードを入れる凹収容部分の個数を増減するのと併せて、更に少量の容量調節が必要な場合は、凹収容部分の容量の目印に沿って容量調節する事で、凹収容部分以下の少量の計量も可能となり給与量の誤差が少なく精度良く計量する事ができ、肥満予防など日々のペットの食事量の制限を、スムーズに行う事ができる。また成長で増える給与量に合わせて、凹収容部分の使用個数を増やす事で、新しい食器を買い換える必要もなく、成長しても対応のできるペット用の食器を提供する事を課題とする。
【課題を解決するための手段】
【０００８】本発明に係るペット用の食器において、ペットフードを入れる凹収容部分を予め設定した容量で、複数個に区切られた構造を特徴とするペット用の食器。【０００９】本発明に係る発明は、複数個に区切られた凹収容部分には、容量の目印が記されている構造を特徴とするペット用の食器。【００１０】本発明は、一例としてペットの大型犬種から超小型犬種、猫などの大きさに合わせて食器の種類があり、それぞれの食器の凹収容部分は、予め設定した容量で、複数個に区切られた構造をしている。そしてその凹収容部分には容量の目印を記してある。体重３ｋｇの超小型犬種のチワワでは、ドライフードで一日の給与量は約７０ｇ程度であるが、例えば凹収容部分にドライフード１５ｇの容量が入る設定にして、その設定で同じ容量の凹収容部分を６個備え、一例として個々の凹収容部分に目印を２ケ所、つまり容量の三分の一と三分の二の位置に目印があるペット用の食器であれば、仮に７０ｇを計量する場合は、凹収容部分４個で６０ｇを計量して、次に１個の凹収容部分の目印で１０ｇの計量をする事で７０ｇの計量が可能となる。【００１１】本発明によれば、ペットの成長は早く、給与量も増えてくるが、幼犬から成犬まで使えるように、複数個ある凹収容部分の使用の個数を増やして、成長に合わせて対応する事が可能となる。【００１２】本発明は、陶磁器やプラスチックや木材、ガラス材料、あるいは金属材料などを用いても良く、原材料は限定するものでは無い。【００１３】本発明は、食器の外形及び仕切られた凹収容部分の形状は、円形以外でも良く、限定するものでは無い。又、区切られた凹収容部分は固定されたものでも、可動するものでも良い。【００１４】本発明は、複数個の凹収容部分を備えて予め容量を設定するが、個々同じ容量でも、個々違う容量でも良く、限定するものでは無い。【００１５】本発明は、凹収容部分に容量の目印を備えるが、点線や絵柄、マークやポイントなど、様々な態様の物が存在する。又、その目印の数も一個でも複数個でも良く、限定するものでは無い。
【発明の効果】
【００１６】本発明において、ペット用の食器の凹収容部分は、予め設定した容量で、複数個に区切られた構造をしている。ペットフードを入れる凹収容部分の個数を増減する事で給与量の計量ができ、ペットフードの給与量を簡単にしかも早く計量する事が可能になり、ペットの食事量の制限をスムーズに行う事ができる。【００１７】本発明は、複数個に区切られた凹収容部分に、容量の目印が記されている構造をしている。計量の時にはまず、凹収容部分の個数を増減して計量するが、更に少量の容量調節が必要な場合は次に凹収容部分の容量の目印に沿って増減する事で凹収容部分以下の少量の計量も可能となる。特に超小型犬種や猫、幼犬、幼猫は少量の給与量であるが、それらに対しても精度良く計量する事が可能となり、キッチン秤を使うような煩わしい計量から開放される。【００１８】本発明によれば、ペットの成長は早く、それに沿って給与量も増えるが、複数個備える凹収容部分の使用個数を変えることで、その給与量の増加に対応する事が可能になるため、食器を短期間で買い換えるような事もなくなる。
【発明を実施するための最良の形態】
【００１９】（第一実施形態）
本発明の第一実施形態を、図面を参照しながら説明する。図１は、本発明の第一実施形態に係るペット用の食器の上方斜視図を示す。図に示すように、ペット用の食器１は外周５と区切り２と底面６で囲われた凹収容部分４が６個備わっている。それぞれの凹収容部分は予め容量が設定されていて、その中にペットフードを入れるようになっている。【００２０】図１において、それぞれの凹収容部分４の内壁には、容量の目印３を備えている。【００２１】以上の構成とする事で、給与量の計量は、まずペットフードを入れる凹収容部分４の個数で調節して、さらに凹収容部分４に記されている目印３に沿って増減する事で凹収容部分のそれ以下の少量の計量も可能となる．【００２２】（変形例）
次に、本発明の第一実施形態に係るペット用の食器の変形例を示す。【００２３】図４は、本発明の第一実施形態に係る変形例のペット用の食器１１の上方斜視図を示す。図に示すように、ペット用の食器１１は外周１５と区切り１２と底面１６で囲われた凹収容部分１４が４個と１４ａが１個備わっている。それぞれの凹収容部分は予め容量が設定されていて、その中にペットフードを入れるようになっている。凹収容部分１４ａは１４と比べ外周が大きいので深さを加減して、凹収容部分１４と同じ容量に設定している。
【図面の簡単な説明】
【００２４】
【図１】本発明の第一実施形態を示す斜視図である。
【図２】本発明の第一実施形態を示す平面図である。
【図３】本発明の第一実施形態を示す図２のＡ−Ａ線断面図である。
【図４】本発明の第一実施形態の変形例を示す斜視図である。
【図５】本発明の第一実施形態の変形例を示す平面図である。
【図６】本発明の第一実施形態の変形例を示す図５のＢ−Ｂ線断面図である。
【符号の説明】
【００２５】１・・・・第一実施形態本体
２・・・・区切り
３・・・・容量の目印
４・・・・凹収容部分
５・・・・外周
６・・・・底面
１１・・・第一実施形態変形例本体
１２・・・区切り
１３・・・容量の目印
１４・・・凹収容部分
１５・・・外周
１６・・・底面
【図１】
2012000098.tif 000003
【図２】
2012000098.tif 000004
【図３】
2012000098.tif 000005
【図４】
2012000098.tif 000006
【図５】
2012000098.tif 000007
【図６】
2012000098.tif 000008